(57)【要約】【課題】  大型の液晶パネルを有するＣＯＧ方式やＣＯＦ方式の液晶表示装置でも輝度ムラの発生を防止可能な液晶表示装置を提供する。【解決手段】  内部電源回路１７ａは、初段のゲートドライバ１３−１に供給する電源電圧ＶＧＨ１を生成するとともに、最終段のゲートドライバ１３−４の電源供給点における電源電圧波形が初段のゲートドライバ１３−１の電源供給点における電源電圧ＶＧＨ１による電源電圧波形と等しくなるような電源電圧ＶＧＨ２を生成して、電源電圧ＶＧＨ２を電源配線２２により最終段のゲートドライバ１３−４に供給する。【選択図】  図１
2006330404.tif 000002
【特許請求の範囲】
【請求項１】
電源供給源からの電源が、初段のゲートドライバから後段のゲートドライバへ逐次、液晶パネルと同一基板上の電源配線を用いて供給される液晶表示装置において、
前記初段のゲートドライバに供給する第１の電源電圧を生成するとともに、最終段のゲートドライバの電源供給点における電源電圧波形が前記初段のゲートドライバの電源供給点における前記第１の電源電圧による電源電圧波形と等しくなるような第２の電源電圧を生成して、前記第２の電源電圧を他の電源配線により前記最終段のゲートドライバに供給する電源供給部を有することを特徴とする液晶表示装置。
【請求項２】
前記電源供給部は、輝度傾斜法を用いて前記初段のゲートドライバに供給する前記第１の電源電圧を生成し、輝度傾斜の変化量が前記初段のゲートドライバの前記電源供給点における前記第１の電源電圧の前記変化量と前記最終段のゲートドライバの前記電源供給点で等しくなるような、前記第２の電源電圧を生成することを特徴とする請求項１記載の液晶表示装置。
【請求項３】
電源供給源からの電源が、初段のゲートドライバから後段のゲートドライバへ逐次、液晶パネルと同一基板上の電源配線を用いて供給される液晶表示装置において、
動作する前記ゲートドライバの電源供給点での電源電圧の波形が、それぞれの前記ゲートドライバ間で等しくなるように、それぞれの前記ゲートドライバが動作する期間ごとに、異なった電源電圧の波形を供給する電源供給部を有することを特徴とする液晶表示装置。
【請求項４】
前記電源供給部は、輝度傾斜法を用いて、それぞれの前記ゲートドライバが動作する期間ごとに輝度傾斜の変化時間を変化させ、前記電源電圧の輝度傾斜の変化量を変化させることを特徴とする請求項３記載の液晶表示装置。
【請求項５】
前記電源供給部は、輝度傾斜法を用いて、それぞれの前記ゲートドライバが動作する期間ごとに電源電圧の出力端に接続された抵抗値を変えることで輝度傾斜の変化量を変化させることを特徴とする請求項３記載の液晶表示装置。
【発明の詳細な説明】
【技術分野】
【０００１】
本発明は液晶表示装置に関し、特にＣＯＧ（Chip On Glass）またはＣＯＦ（Chip On Film）を用いた液晶表示装置に関する。
【背景技術】
【０００２】
ＴＦＴ（Thin Film Transistor）液晶パネルに代表されるアクティブマトリクス方式の液晶表示装置は、従来のＣＲＴに比べ薄型、軽量化が可能であり、一般家庭用ＴＶ、ＯＡ機器の表示装置として普及しつつある。近年、この液晶表示装置においては大画面化が進み、低コスト化かつ高画質化が要求されている。
【０００３】
低コスト化のための方法として、液晶パネルのマトリクス状に配列された各画素に設けられたＴＦＴのゲートを駆動するゲートドライバを、プリント基板に搭載するのではなく、液晶パネルが形成されているＴＦＴ基板（ガラス基板）上に搭載するＣＯＧや、ゲートドライバをフレキシブル・フィルム上に搭載するＣＯＦが用いられている（例えば特許文献１参照）。
【０００４】
図８は、従来の液晶表示装置の概略構成を示す図であり、（Ａ）がＣＯＧ方式、（Ｂ）がＣＯＦ方式を用いた場合の構成図である。
図８（Ａ）のＣＯＧ方式の液晶表示装置５０ａでは、ＴＦＴ基板５１上に液晶パネル５２が形成されており、同じＴＦＴ基板５１上には複数のゲートドライバ５３−１〜５３−４が液晶パネル５２の図示しないゲートライン側に配置される。また、液晶パネル５２の図示しないデータバスライン側にはそれぞれフレキシブル・フィルム５４ａに搭載された複数のソースドライバ５４が配置される。フレキシブル・フィルム５４ａ上には図示しない電極配線が形成されており、ソースドライバ５４と、ＴＦＴ基板５１及び制御基板５５とを互いに電気的に接続する。なお、ゲートドライバ５３−１〜５３−４とソースドライバ５４の数は、液晶パネル５２の解像度とサイズ、色数、階調数などに合わせて搭載される。
【０００５】
制御基板５５上には、タイミングコントローラ５６及び内部電源回路５７が搭載される。
図８（Ｂ）のＣＯＦ方式では、ゲートドライバ５３−１〜５３−４も電極配線が形成されたフレキシブル・フィルム５３ａ上に搭載された構成となっている。
【０００６】
このような従来の液晶表示装置５０ａ、５０ｂにおいて、タイミングコントローラ５６からの信号（ゲート信号、ゲートクロックなど）及び内部電源回路５７から出力される各種電源電圧はそれぞれゲートドライバ５３−１〜５３−４、ソースドライバ５４のそれぞれの初段に供給され、それがゲート制御信号配線６１及びゲート電源配線６２を介して逐次後段に伝達されていく（ソースドライバ側に関しての配線は図示を省略している。）。伝達の際、各ゲートドライバ５３−１〜５３−４間の信号の伝送は図８（Ａ）、（Ｂ）ともに、ＴＦＴ基板５１上の配線（例えば、ＩＴＯ（Indium Tin Oxide）からなる透明電極配線）が用いられている。
【０００７】
また、従来、ゲートドライバによって液晶パネルの図示しないゲートラインに供給されるゲート駆動信号の電位は、電源の供給源から離れるほど低下し、供給源に近い部分と遠い部分とで輝度ムラが生じてしまう問題がある。これを防止して均一な輝度分布による高画質化を達成するための方法として、ゲート駆動信号の波形を矩形のパルスではなく、一定の電圧を維持した後、電圧が経時的かつ連続的に低下し、その後基準電圧まで降下するような波形とする手法があった（例えば特許文献２参照）。なお、以後この方法を輝度傾斜法と呼ぶことにする。
【特許文献１】特開平８−４３８５２号公報
【特許文献２】特開２００１−１２５０６９号公報（段落番号〔００３２〕，第８図）
【発明の開示】
【発明が解決しようとする課題】
【０００８】
この輝度傾斜法を図８（Ａ）で示したようなＣＯＧ方式の液晶表示装置５０ａに適用した場合における、ゲート駆動信号の様子を以下に示す。
図９は、輝度傾斜法を用いた従来の液晶表示装置のゲートドライバに関する信号を示すタイミングチャートである。
【０００９】
ここでは、図８（Ａ）の液晶表示装置５０ａにおいて、ゲートドライバ５３−２への電源電圧ＶＧＨの電源供給点であるＪ部及び、ゲートドライバ５３−１への電源電圧ＶＧＨの電源供給点であるＫ部での電源電圧ＶＧＨの波形と、基準電圧ＶＧＬを表している。またゲートドライバ５３−１、５３−２の出力電圧であるゲート駆動信号を表している。電源電圧ＶＧＨは、内部電源回路５７の図示しない輝度傾斜回路によって所定の周期で経時的に所定の電位ΔＶＫＫ（以下これを輝度傾斜の変化量と呼ぶ。）だけ低下している。これに同期して、ゲートドライバの出力であるゲート駆動信号も立ち下がり時には、経時的に低下し、その後基準電圧ＶＧＬまで低下する。
【００１０】
ところで、輝度傾斜法を用いてゲート駆動信号の波形の立ち下がりを鈍らせるためには、内部電源回路５７からの電圧ＶＧＨを、図示しないゲート信号に同期して３０Ｖ前後と大きく電圧変化させる必要がある。
【００１１】
しかし、図８（Ａ）で示したような従来の液晶表示装置５０ａで、輝度傾斜法を用いると、ＴＦＴ基板５１上の比較的大きな抵抗・容量の配線上に大振幅の電源電圧を通すことになるので、内部電源回路５７からの距離によって配線抵抗・容量の影響で輝度傾斜の変化量に差異が生じてくる。例えば、図８（Ａ）のＪ部、Ｋ部では図９のようにΔＶＫＫ５０−ΔＶＫＫ５１の差異が生じる。これにより、内部電源回路５７から遠いゲートドライバ５３−２と、近いゲートドライバ５３−１から出力されるゲート駆動信号の低下分もΔＶＫＫ５０−ΔＶＫＫ５１の差異が生じ、輝度ムラを発生させてしまうという問題があった。近年、画面サイズの大型化により配線距離がますます長くなるため、今後さらにこの問題が悪化する傾向にある。この問題は、図８（Ｂ）のＣＯＦ方式の場合も同様に生じる。
【００１２】
本発明はこのような点に鑑みてなされたものであり、大型の液晶パネルを有するＣＯＧ方式やＣＯＦ方式の液晶表示装置でも輝度ムラの発生を防止可能な液晶表示装置を提供することを目的とする。
【課題を解決するための手段】
【００１３】
本発明では上記問題を解決するために、電源供給源からの電源が、初段のゲートドライバから後段のゲートドライバへ逐次、液晶パネルと同一基板上の電源配線を用いて供給される液晶表示装置において、図１に示すように、初段のゲートドライバ１３−１に供給する電源電圧ＶＧＨ１を生成するとともに、最終段のゲートドライバ１３−４の電源供給点における電源電圧波形が初段のゲートドライバ１３−１の電源供給点における電源電圧ＶＧＨ１による電源電圧波形と等しくなるような電源電圧ＶＧＨ２を生成して、電源電圧ＶＧＨ２を電源配線２２により最終段のゲートドライバ１３−４に供給する電源供給部（内部電源回路１７ａ）を有することを特徴とする液晶表示装置１０ａが提供される。
【００１４】
上記の構成によれば、電源供給部（内部電源回路１７ａ）は、初段のゲートドライバ１３−１に供給する電源電圧ＶＧＨ１を生成するとともに、最終段のゲートドライバ１３−４の電源供給点における電源電圧波形が初段のゲートドライバ１３−１の電源供給点における電源電圧ＶＧＨ１による電源電圧波形と等しくなるような電源電圧ＶＧＨ２を生成して、電源電圧ＶＧＨ２を電源配線２２により最終段のゲートドライバ１３−４に供給する。
【００１５】
また、電源供給源からの電源が、初段のゲートドライバから後段のゲートドライバへ逐次、液晶パネルと同一基板上の電源配線を用いて供給される液晶表示装置において、動作する前記ゲートドライバの電源供給点での電源電圧の波形が、それぞれの前記ゲートドライバ間で等しくなるように、それぞれの前記ゲートドライバが動作する期間ごとに、異なった電源電圧の波形を供給する電源供給部を有することを特徴とする液晶表示装置が提供される。
【００１６】
上記の構成によれば、電源供給部は、動作するゲートドライバの電源供給点での電源電圧の波形が、それぞれのゲートドライバ間で等しくなるように、それぞれのゲートドライバが動作する期間ごとに、異なった電源電圧の波形を供給する。
【発明の効果】
【００１７】
本発明における、電源供給源からの電源が、初段のゲートドライバから後段のゲートドライバへ逐次、液晶パネルと同一基板上の電源配線を用いて供給される液晶表示装置によれば、電源供給部は、初段のゲートドライバに供給する第１の電源電圧を生成するとともに、最終段のゲートドライバの電源供給点における電源電圧波形が初段のゲートドライバの電源供給点における第１の電源電圧による電源電圧波形と等しくなるような第２の電源電圧を生成して、第２の電源電圧を他の電源配線により最終段のゲートドライバに供給するので、各ゲートドライバにおける輝度傾斜の変化量の差が小さくなり、輝度ムラを防止することができる。
【００１８】
また、本発明の電源供給源からの電源が、初段のゲートドライバから後段のゲートドライバへ逐次、液晶パネルと同一基板上の電源配線を用いて供給される液晶表示装置によれば、電源供給部は、動作するゲートドライバの電源供給点での電源電圧の波形が、それぞれのゲートドライバ間で等しくなるように、それぞれのゲートドライバが動作する期間ごとに、異なった電源電圧の波形を供給するので、輝度ムラを防止することができる。
【発明を実施するための最良の形態】
【００１９】
以下、本発明の実施の形態を図面を参照して詳細に説明する。
まず、第１の実施の形態の液晶表示装置を説明する。
図１は、第１の実施の形態の液晶表示装置の概略構成を示す図である。
【００２０】
液晶表示装置１０ａは、ＴＦＴ基板１１上に液晶パネル１２が形成されており、同じＴＦＴ基板１１上には複数のゲートドライバ１３−１〜１３−４が液晶パネル１２の図示しないゲートライン側に配置され、それぞれ複数のゲートラインを駆動する。また、液晶パネル１２の図示しないデータバスライン側にはそれぞれフレキシブル・フィルム１４ａに搭載された複数のソースドライバ１４が配置される。フレキシブル・フィルム１４ａ上には図示しない電極配線が形成されており、ソースドライバ１４と、ＴＦＴ基板１１及び制御基板１５とを互いに電気的に接続する。なお、ゲートドライバ１３−１〜１３−４とソースドライバ１４の数は、液晶パネル１２の解像度とサイズ、色数、階調数などに合わせて搭載され、図示されている数に限定されるものではない。
【００２１】
制御基板１５上には、タイミングコントローラ１６及び内部電源回路１７ａが搭載される。
タイミングコントローラ１６は、外部から画像信号や、水平同期信号及び垂直同期信号を入力して、ソースドライバ１４に送る画像データ信号や、その同期信号及び１水平同期期間の始まりを示す信号、ゲートドライバ１３−１〜１３−４に送るゲートクロック信号や１垂直同期期間の始まりを示すゲートスタート信号などを生成する。また、内部電源回路１７ａにより輝度傾斜を行うための信号なども生成する。
【００２２】
内部電源回路１７ａは、ゲートドライバ１３−１〜１３−４、ソースドライバ１４が駆動するための電源を供給する。なお、図１では、ソースドライバ１４への配線は図示を省略している。ゲートドライバ１３−１〜１３−４に供給される電源電圧ＶＧＨ１は、輝度傾斜法を用いて生成され、制御基板１５及びフレキシブル・フィルム１４ａ上の電極配線と、ＴＦＴ基板１１上の配線（例えば、ＩＴＯからなる透明電極配線）を介して初段のゲートドライバ１３−１に供給される。その後、逐次後段のゲートドライバ１３−２、１３−３、１３−４へＴＦＴ基板１１上のゲート電源配線２１を用いて供給されてゆく。なお、内部電源回路１７ａは、以下のような輝度傾斜回路を有する。
【００２３】
図２は、輝度傾斜回路の例である。
輝度傾斜回路２５は、タイミングコントローラ１６からの輝度傾斜の変化時間を決める信号ＧＶに同期して、ゲートドライバ１３−１〜１３−４からのゲート駆動信号の立ち下がり部分が経時的かつ連続的に低下するように（図９参照）、一定の電源電圧ＶＧＨ０から一定の周期で経時的に低下する電源電圧ＶＧＨ１を生成する。一般的に輝度傾斜回路２５は、一定の電源電圧ＶＧＨ０を供給する図示しない電源電圧回路の切断期間とプルダウン抵抗Ｒ及び配線容量による時定数により電圧を変化させている。そのため、電源の供給源から遠くなるほどゲートドライバ１３−１〜１３−４に実際にかかる電源電圧における輝度傾斜の変化量は小さくなっていき、輝度ムラが生じる。これを防止するために、本実施の形態の液晶表示装置１０ａの内部電源回路１７ａは、輝度傾斜の変化量が初段のゲートドライバ１３−１への電源供給点における電源電圧ＶＧＨ２の変化量と最終段のゲートドライバ１３−４への電源供給点で等しくなり、同じ電源電圧波形となるような電源電圧ＶＧＨ２を輝度傾斜回路２５により生成し、電源配線２２により最終段のゲートドライバ１３−４に供給する。
【００２４】
以下、本実施の形態の液晶表示装置１０ａの特徴部分であるゲートドライバへの電源電圧の供給について説明する。
図３は、第１の実施の形態の液晶表示装置においてゲートドライバへ供給される電源電圧波形を示す図である。
【００２５】
この図では、内部電源回路１７ａから出力される２種類の電源電圧ＶＧＨ１、ＶＧＨ２の各位置での電源電圧波形を示している。電源電圧ＶＧＨ１においては図１で示す制御基板１５上でのＡ部及び、初段のゲートドライバ１３−１の電源供給点であるＢ部の波形を示している。電源電圧ＶＧＨ２においては制御基板１５上でのＣ部及び、最終段のゲートドライバ１３−４の電源供給点であるＤ部の波形を示している。
【００２６】
各電源電圧ＶＧＨ１、ＶＧＨ２は、図２に示したような輝度傾斜回路２５に入力される信号ＧＶに同期して信号ＧＶがＨ（High）の期間Ｔだけ低下していく。このとき、Ａ部での電源電圧ＶＧＨ１の輝度傾斜の変化量はΔＶＫＫ１となる。Ｂ部では、ＴＦＴ基板１１上の比較的高い抵抗の配線を用いるためこの変化量は減少して、ΔＶＫＫ２となる。一方、Ｃ部での電源電圧ＶＧＨ２の輝度傾斜の変化量ΔＶＫＫ３は、Ｄ部での変化量ΔＶＫＫ４がΔＶＫＫ２と等しくなるように輝度傾斜回路２５により調整して設定する。内部電源回路１７ａから、Ｄ部までの配線距離がＢ部までよりも長いので、ΔＶＫＫ３はΔＶＫＫ１よりも大きく設定される。
【００２７】
従来では、隣り合うゲートドライバの輝度傾斜の変化量が、およそ１００ｍＶ以上の差があると輝度ムラとして検出されるが、第１の実施の形態の液晶表示装置１０ａによれば、内部電源回路１７ａは、電源の供給源から最も遠い最終段のゲートドライバ１３−４に実際に供給される電源電圧ＶＧＨ２の輝度傾斜の変化量ΔＶＫＫ４と最も供給源に近いゲートドライバ１３−１に実際に供給される電源電圧ＶＧＨ１の輝度傾斜の変化量ΔＶＫＫ２が等しくなるように設定された電源電圧ＶＧＨ２を生成供給することで、各ゲートドライバ１３−１〜１３−４における輝度傾斜の変化量の差が小さくなる。これにより、大型の液晶パネルを有する場合でも、コスト低減が可能なＣＯＧ方式やＣＯＦ方式を用いて、輝度ムラの発生の少ない液晶表示装置１０ａを提供できる。
【００２８】
次に第２の実施の形態の液晶表示装置を説明する。
図４は、第２の実施の形態の液晶表示装置の構成を示す図である。
第１の実施の形態の液晶表示装置１０ａと同一の構成要素については同一符号としている。第２の実施の形態の液晶表示装置１０ｂは、第１の実施の形態の液晶表示装置１０ａと異なり、内部電源回路１７ｂから最終段のゲートドライバ１３−４に電源を供給する電源配線２２はなく、図８で示した従来と同様の構成となっているが、内部電源回路１７ｂの機能が従来と異なっている。第２の実施の形態の液晶表示装置１０ｂにおいて、内部電源回路１７ｂは、輝度傾斜の変化時間を時間的に変化させる機能を有している。
【００２９】
図５は、第２の実施の形態の液晶表示装置においてゲートドライバへ供給される電源電圧波形を示す図である。
この図では、内部電源回路１７ｂから出力される電源電圧ＶＧＨ１の各位置での電源電圧波形を示している。各位置とは、図４で示す各ゲートドライバ１３−１〜１３−４に実際に供給される電源電圧ＶＧＨ１の波形が現われる電源供給点であり、電源の供給源から最も離れているゲートドライバ１３−４への電源の供給点（Ｅ部）、ゲートドライバ１３−３への電源の供給点（Ｆ部）、ゲートドライバ１３−２への電源の供給点（Ｇ部）、ゲートドライバ１３−１への電源の供給点（Ｈ部）である。さらに、制御基板１５上の内部電源回路１７ｂの出力点（Ｉ部）である。
【００３０】
第２の実施の形態の液晶表示装置１０ｂにおいて、内部電源回路１７ｂはゲートドライバ１３−１〜１３−４が動作する期間に応じて、輝度傾斜の変化時間を時間的に変化させている。具体的には、図２で示したような輝度傾斜回路２５に、ゲートドライバ１３−１〜１３−４の動作期間に応じてタイミングコントローラ１６よりＨレベルの期間を可変した信号ＧＶが入力されることによって、輝度傾斜の変化時間が調整される。輝度傾斜の変化時間は、供給源である内部電源回路１７ｂから最も離れている、つまり最終段のゲートドライバ１３−４の動作期間では最も長い変化時間Ｔ１が設定され、その後、ゲートドライバ１３−３の動作期間ではＴ２、ゲートドライバ１３−２の動作期間ではＴ３、供給源に最も近いゲートドライバ１３−１の動作期間ではＴ１が設定され、Ｔ１＞Ｔ２＞Ｔ３＞Ｔ４という関係を満たす。輝度傾斜の変化量は時定数によるため、この変化時間が大きいほど変化量も大きくなる。これにより、各ゲートドライバ１３−１〜１３−４の動作期間に応じて輝度傾斜の変化時間をＴ１からＴ４まで変化させることによって、Ｉ部の電源電圧ＶＧＨ１の波形の輝度傾斜の変化量は、図のようにΔＶＫＫ５、ΔＶＫＫ６、ΔＶＫＫ７、ΔＶＫＫ８（ΔＶＫＫ５＞ΔＶＫＫ６＞ΔＶＫＫ７＞ΔＶＫＫ８）と変化する。
【００３１】
ゲートドライバ１３−４の動作期間では、Ｉ部でΔＶＫＫ５であった変化量がＴＦＴ基板１１上の配線抵抗の影響で低下し、ゲートドライバ１３−４の電源供給点であるＥ部ではΔＶＫＫ９となる。同様にゲートドライバ１３−３の動作期間では、Ｉ部でΔＶＫＫ６であった変化量が、ゲートドライバ１３−３の電源供給点であるＦ部ではΔＶＫＫ１０となる。ゲートドライバ１３−２の動作期間では、Ｉ部でΔＶＫＫ７であった変化量が、ゲートドライバ１３−２の電源供給点であるＧ部ではΔＶＫＫ１１となる。ゲートドライバ１３−１の動作期間では、Ｉ部でΔＶＫＫ８であった変化量が、ゲートドライバ１３−１の電源供給点であるＨ部ではΔＶＫＫ１２となる。
【００３２】
このように、ゲートドライバ１３−１〜１３−４の供給源からの距離に応じて、各ゲートドライバ１３−１〜１３−４の動作期間で輝度傾斜の変化時間を設定して電源電圧ＶＧＨ１の輝度傾斜の変化量を決めることで、それぞれのゲートドライバ１３−１〜１３−４の動作期間で、実際に動作するゲートドライバ１３−１〜１３−４に供給される電源電圧波形の輝度傾斜の変化量ΔＶＫＫ９、ΔＶＫＫ１０、ΔＶＫＫ１１、ΔＶＫＫ１２を等しくすることができる。これにより大型の液晶パネルを有する場合でも、コスト低減が可能なＣＯＧ方式やＣＯＦ方式を用いて、輝度ムラの発生の少ない液晶表示装置１０ｂを提供できる。
【００３３】
次に第３の実施の形態の液晶表示装置を説明する。
第３の実施の形態の液晶表示装置の構成は、図４で示した第２の実施の形態の液晶表示装置１０ｂの構成とほぼ同様であるので図示を省略するが、内部電源回路１７ｂは、輝度傾斜回路２５から出力される電圧を変更する輝度傾斜電圧変更回路を有していることが第２の実施の形態の液晶表示装置１０ｂと異なる。
【００３４】
図６は、輝度傾斜電圧変更回路の構成を示す図である。
図のように輝度傾斜回路２５の出力端子ＶＧＨ１−ＧＮＤ間に抵抗Ｒ１、Ｒ２、Ｒ３を直列に接続している。そして例えば、タイミングコントローラ１６からの制御信号ＶＧＤＳＥＬ１、ＶＧＤＳＥＬ２によりそれぞれ抵抗Ｒ３、Ｒ２を直列回路から切り離すスイッチＳＷ１、ＳＷ２を有している。
【００３５】
第３の実施の形態の液晶表示装置では、この制御信号ＶＧＤＳＥＬ１、ＶＧＤＳＥＬ２により、各ゲートドライバ１３−１〜１３−４の動作期間に応じてＶＧＨ１−ＧＮＤ間の抵抗を変化させることで、電源電圧ＶＧＨ１の輝度傾斜の変化量を時間的に変化させている。輝度傾斜の変化量は時定数によるため、ＶＧＨ１−ＧＮＤ間の抵抗を小さくすることで輝度傾斜の変化量を大きくすることができる。
【００３６】
図７は、第３の実施の形態の液晶表示装置においてゲートドライバへ供給される電源電圧波形を示す図である。
この図で示すＥ部〜Ｉ部は、図３で示す液晶表示装置１０ｂの各部であり、図５とも対応している。以下抵抗Ｒ２＞Ｒ３とする。供給源からもっとも遠い最終段のゲートドライバ１３−４が動作している期間は、制御信号ＶＧＤＳＥＬ１、ＶＧＤＳＥＬ２ともＬ（Low）レベルとし、スイッチＳＷ１、ＳＷ２をオンして、ＶＧＨ１−ＧＮＤ間の抵抗をＲ１とし、もっとも抵抗が小さくなるようにする。その前段のゲートドライバ１３−３の動作期間では、制御信号ＶＧＤＳＥＬ１のみがＨレベルになり、スイッチＳＷ１がオフし、ＶＧＨ１−ＧＮＤ間の抵抗はＲ１＋Ｒ３になる。さらにその前段のゲートドライバ１３−２の動作期間では、制御信号ＶＧＤＳＥＬ１はＬレベルで制御信号ＶＧＤＳＥＬ２がＨレベルになる。これにより、スイッチＳＷ１がオンしスイッチＳＷ２がオフし、ＶＧＨ１−ＧＮＤ間の抵抗はＲ１＋Ｒ２になる。供給源からもっとも近い初段のゲートドライバ１３−１の動作期間では、制御信号ＶＧＤＳＥＬ１、ＶＧＤＳＥＬ２ともＨレベルとなる。これにより、スイッチＳＷ１、ＳＷ２ともオフし、ＶＧＨ１−ＧＮＤ間の抵抗値が最も大きい値、Ｒ１＋Ｒ２＋Ｒ３になる。
【００３７】
以上のように抵抗値を調整することにより、Ｉ部の電源電圧ＶＧＨ１の輝度傾斜の変化量は、ゲートドライバ１３−４の動作期間でΔＶＫＫ１３、ゲートドライバ１３−３の動作期間でΔＶＫＫ１４、ゲートドライバ１３−２の動作期間でΔＶＫＫ１５、ゲートドライバ１３−１の動作期間でΔＶＫＫ１６となり、第２の実施の形態の液晶表示装置１０ｂの場合と同様に、ΔＶＫＫ１３＞ΔＶＫＫ１４＞ΔＶＫＫ１５＞ΔＶＫＫ１６となる。これにより、ゲートドライバ１３−４の動作期間では、Ｉ部でΔＶＫＫ１３であった変化量がＴＦＴ基板１１上の配線抵抗の影響で低下し、ゲートドライバ１３−４の電源供給点であるＥ部ではΔＶＫＫ１７となる。同様にゲートドライバ１３−３の動作期間では、Ｉ部でΔＶＫＫ１４であった変化量が、ゲートドライバ１３−３の電源供給点であるＦ部ではΔＶＫＫ１８となる。ゲートドライバ１３−２の動作期間では、Ｉ部でΔＶＫＫ１５であった変化量が、ゲートドライバ１３−２の電源供給点であるＧ部ではΔＶＫＫ１９となる。ゲートドライバ１３−１の動作期間では、Ｉ部でΔＶＫＫ１６であった変化量が、ゲートドライバ１３−１の電源供給点であるＨ部ではΔＶＫＫ２０となる。
【００３８】
このように、第３の実施の形態の液晶表示装置では、抵抗Ｒ１、Ｒ２、Ｒ３の値を調整することで、各ゲートドライバ１３−１〜１３−４の動作期間に動作するゲートドライバ１３−１〜１３−４に実際に供給される電源電圧ＶＧＨ１の輝度傾斜の変化量を、第２の実施の形態の液晶表示装置１０ｂの場合と同様に、ΔＶＫＫ１７＝ΔＶＫＫ１８＝ΔＶＫＫ１９＝ΔＶＫＫ２０と等しくすることができる。これにより、大型の液晶パネルを有する場合でも、コスト低減が可能なＣＯＧ方式やＣＯＦ方式を用いて、輝度ムラの発生の少ない液晶表示装置を提供できる。
【００３９】
なお、上記では、ＣＯＧ方式を例にして説明したが、ＣＯＦ方式にても同様に本発明を適用可能である。
【図面の簡単な説明】
【００４０】
【図１】第１の実施の形態の液晶表示装置の概略構成を示す図である。
【図２】輝度傾斜回路の例である。
【図３】第１の実施の形態の液晶表示装置においてゲートドライバへ供給される電源電圧波形を示す図である。
【図４】第２の実施の形態の液晶表示装置の構成を示す図である。
【図５】第２の実施の形態の液晶表示装置においてゲートドライバへ供給される電源電圧波形を示す図である。
【図６】輝度傾斜電圧変更回路の構成を示す図である。
【図７】第３の実施の形態の液晶表示装置においてゲートドライバへ供給される電源電圧波形を示す図である。
【図８】従来の液晶表示装置の概略構成を示す図であり、（Ａ）がＣＯＧ方式、（Ｂ）がＣＯＦ方式を用いた場合の構成図である。
【図９】輝度傾斜法を用いた従来の液晶表示装置のゲートドライバに関する信号を示すタイミングチャートである。
【符号の説明】
【００４１】
１０ａ  液晶表示装置
１１  ＴＦＴ基板
１２  液晶パネル
１３−１、１３−２、１３−３、１３−４  ゲートドライバ
１４  ソースドライバ
１４ａ  フレキシブル・フィルム
１５  制御基板
１６  タイミングコントローラ
１７ａ  内部電源回路
【図１】
2006330404.tif 000003
【図２】
2006330404.tif 000004
【図３】
2006330404.tif 000005
【図４】
2006330404.tif 000006
【図５】
2006330404.tif 000007
【図６】
2006330404.tif 000008
【図７】
2006330404.tif 000009
【図８】
2006330404.tif 000010
【図９】
2006330404.tif 000011